(57)【特許請求の範囲】
【請求項１】
所定の目幅間隔に多数のスリットを形成し、かつ対向配置したプレート支持枠間に複数のスクリーンプレートを、その両端部を前記スリットに挿入して掛け渡すとともに、該スクリーンプレートの両端部をそれぞれプレート支持枠を介して断面コ字状の外枠内に挿入し、外枠の両端をサイド枠で固定してスクリーンプレートの前後及び上下方向に対するずれ止めとなるようにし、隣接するスクリーンパネルと互いに屈曲可能に連結するようにして構成したことを特徴とするスクリーンパネル。
【請求項２】
上流側面をフラットとしたスクリーンプレートと上流側面のフラット面にし渣掻揚用のフックを突設したスクリーンプレートとを組み合わせて用いたことを特徴とする請求項１記載のスクリーンパネル。
【発明の詳細な説明】
【技術分野】
【０００１】
本発明は、スクリーンパネルに関し、特に、パネル式のスクリーン除塵機において無端条のスクリーンを形成するスクリーンパネルを、対向する２つのプレート支持枠間に多数のスクリーンプレートを挿入するだけで確固に固定して高精度の目幅間隔を保持して組み立て製作できるスクリーンパネルに関するものである。
【背景技術】
【０００２】
従来、小規模下水処理場や、農業用水、その他のポンプ場において、下水或いは用水取入口に取り付けてし渣（ごみ）の流入を防止するためのスクリーン式除塵機が提案されている。
このスクリーン式除塵機は、スクリーンパネルの複数枚を無端条（エンドレス状）に、キャタピラ状に連結接続し、これを水路に設置して取水中のし渣を捕捉しつつ流水通過させ、かつスクリーンの回転駆動によって捕捉したし渣を水中から掻き上げて水路外に排除するようにしている。
また、無端条のスクリーンは、多数のスクリーンパネルをキャタピラ状に連結することにより形成されているが、各スクリーンパネルは、多数のスクリーンプレートを厚み方向に所定間隔で並設し、かつスクリーンの目幅を確保するために、多数のスクリーンプレートの間に間隔保持部材を挟み込むようにして櫛歯状に形成し、これにボルトを挿通してパネル状に一体化するように組み立て、これをエンドレス状に隣接配設し、隣接位置のスクリーンパネル間を連結ピンにて予め定められた角度の範囲内で屈曲可能に組み立てるように構成されている。
【０００３】
ところで、上記従来のスクリーンパネルは、スクリーンの目幅を確保するために、多数のスクリーンプレートの間に間隔保持部材を挟み込むように所定間隔で並設し、これにボルトを挿通して一体となるように組み立てているため、使用部品数が多く組み立て作業に非常に手間がかかり、かつ製品が高価になるという問題があった。
【発明の開示】
【発明が解決しようとする課題】
【０００４】
本発明は、上記従来のスクリーンパネルの有する問題点に鑑み、従来のようにスクリーンプレート間の目幅間隔を保持するための間隔保持部材を使用することなく、スクリーンプレートを確固に固定して組み立てられ、かつ高精度の目幅間隔を有するスクリーンパネルを安価に製作することができるスクリーンパネルを提供することを目的とする。
【課題を解決するための手段】
【０００５】
上記目的を達成するため、本発明のスクリーンパネルは、所定の目幅間隔に多数のスリットを形成し、かつ対向配置したプレート支持枠間に複数のスクリーンプレートを、その両端部を前記スリットに挿入して掛け渡すとともに、該スクリーンプレートの両端部をそれぞれプレート支持枠を介して断面コ字状の外枠内に挿入し、外枠の両端をサイド枠で固定してスクリーンプレートの前後及び上下方向に対するずれ止めとなるようにし、隣接するスクリーンパネルと互いに屈曲可能に連結するようにして構成したことを特徴とする。
【０００６】
この場合において、上流側面をフラットとしたスクリーンプレートと上流側面のフラット面にし渣掻揚用のフックを突設したスクリーンプレートとを組み合わせて用いることができる。
【発明の効果】
【０００７】
本発明のスクリーンパネルによれば、簡単な構成で各スクリーンプレートが確固に支持されるので、流水圧を受けてもスクリーンプレートがその前後及び上下方向に移動又は振動することがなく所定の目幅が保持され、設定した高精度のろ過性能を得ることができるとともに、部品点数が少なく構成、組み立てが簡易であるため、スクリーンパネルを安価に提供することができる。
【発明を実施するための最良の形態】
【０００８】
以下、本発明のスクリーンパネルの実施の形態を図面に基づいて説明する。
【実施例１】
【０００９】
図１〜図５に、本発明のスクリーンパネルの一実施例を示す。
このスクリーンパネルＰは、スクリーンパネルを構成するに適した所定の板厚と長さを備えた多数のスクリーンプレート１を、金属板よりプレス加工などにて製作する。
この場合、該スクリーンプレート１は、特に限定されるものではないが、例えば、図３（Ａ）に示すように、スクリーンとして使用する際、上流側面をフラットとしたもののほかに、図３（Ｂ）〜（Ｄ）に示すように、上流側面のフラット面に、該スクリーンにて捕捉されたし渣をスクリーンの駆動にて掻き揚げ排出するための１又は２つのし渣掻揚用のフック１１を突設したものなどとすることができ、これを適当に組み合わせて組み立てるようにすることができる。
なお、フック１１の有無に関係なくスクリーンプレート１は、フック１１部を除いてすべて略同一高さと長さを有するものとする。
【００１０】
スクリーンプレート１の両端部１Ａ、１Ｂは、互いに対向して配設されたプレート支持枠２の各スリット２１に挿入することで掛止されるように形成するが、この場合、スクリーンプレート１は互いに対向して配設されたプレート支持枠２、２間に掛け渡すようにし、これにより複数枚のスクリーンプレート１は所定の目幅間隔が保持され、対向する２本のプレート支持枠２、２により一体となるようにする。
【００１１】
また、このスクリーンプレート１の両端部１Ａ、１Ｂは、プレート支持枠２の各スリット２１に挿入掛止される場合、スクリーンに流水圧が作用してもこの圧力や脈動さらにはスクリーンの駆動力による振動などにより、各スクリーンプレート１がスクリーンの前後方向及び上下方向にも振動や移動を妄りに起こさないよう形成する。これは特に限定されるものではないが、例えば、図２（Ｂ）に示すように、スクリーンの背面側となるスクリーンプレート１の裏面（図２において右側）に前後方向のずれを規制するための舌片１ｃを突設し、スクリーンプレート１の端部１Ａをプレート支持枠２を介して断面コ字状の外枠３１内に挿入したとき、この外枠３１の側片内面に舌片１ｃの先端が当接するようにし、またこの舌片１ｃの側面には上下方向のずれを規制するための段１ｄを形成し、またこの端部１Ａと反対側の端部１Ｂには、スクリーンプレート１の一部を切り欠いて前後方向のずれを規制するための位置止め段１ａとこの位置止め段１ａに連設し、上下方向のずれを規制するための段１ｂを形成する。
【００１２】
これにより各端部１Ａ、１Ｂにおいて、外枠３１内に挿入したとき、その側片内面に位置止め段１ａと舌片１ｃの先端が当接して前後方向のずれを規制し、また段１ｂと段１ｄにて上下方向のずれを規制するようになり、各スクリーンプレート１の両端部１Ａ、１Ｂをプレート支持枠２の各スリット２１に挿入した後、これを外枠３１内に挿入するだけで各スクリーンプレート１は定位置にて確固に固定されるものとなる。
これにより、組み立て時、各スリットに所定のスクリーンプレート１の端部を挿入するだけで、簡易に組み立てられるとともに所定の目幅が保持され、確固に固定されて高精度の目幅間隔を備えたスクリーンとすることができる。
【００１３】
また、プレート支持枠２は、１つのスクリーンパネルＰを構成するに必要な長さを有するコ字形断面をした部材を使用し、スクリーンの目幅間隔となるよう所定の間隔で多数のスリット２１を、プレート支持枠２の本体片２２とこの本体片２２の上下端にて水平方向に折れ曲がった端片２３、２３にかけて形成するとともに、スクリーンプレート１の端部を挿入掛止できるように、スクリーンプレート１の板厚、板の幅等によりその大きさが定められる。
【００１４】
なお、複数枚のスクリーンプレート１と２本のプレート支持枠２とを組み立てるには、所定の目幅間隔に多数のスリット２１を形成した２つのプレート支持枠２、２を互いに対向するように並行配置する際、対向するプレート支持枠２、２のスリット２１、２１も互いに対峙するように配置し、これにより複数枚のスクリーンプレート１は所定間隔をあけて平行するようになる。
【００１５】
また、この複数枚のスクリーンプレート１と２本のプレート支持枠２とを用いて組み立てた後、これを屈曲可能に連結するようにしたスクリーンパネル枠体３により固定し、一体化するようにする。
【００１６】
このスクリーンパネル枠体３は、複数枚のスクリーンプレート１を対向したプレート支持枠２、２間に掛け渡すようにして掛止して一体としたもの、正確にはプレート支持枠２を嵌合される断面コ字状の外枠３１と、該外枠３１の両端に固定されるサイド枠３２とを備えている。
また、この外枠３１の両端には、外方に張り出すフランジ部３３が形成されており、該フランジ部３３をサイド枠３２に合わせて、これにボルト３４を貫通し固定することにより、枠体３に保持したプレート支持枠２を介してスクリーンプレート１を上下左右いずれの方向にもずれないように固定し一体化することができる。
この場合、図１に示すように、１対の外枠３１に片方のサイド枠３２を固定しておき、外枠３１をガイドとしてその内側にスクリーンプレートを掛止したプレート支持枠２を挿入するようにすれば、容易にスクリーンパネルＰを組み立てることができる。
そして、図４に示すように、スクリーンパネルＰは、下側の外枠３１の下面にパネルジョイントプレートＪを取り付けるとともに、チェーンＣに設けられたスクリーンパネル取付座Ｓに取り付けられ、隣接するスクリーンパネルＰ間が屈曲可能に連結するよう構成される。
【００１７】
なお、スクリーンの目幅を変更する場合には、所定間隔で形成したスリット２１の間隔を変えたプレート支持枠２と交換することで容易に、安価にスクリーンの目幅を変更することができる。
【００１８】
以上、本発明のスクリーンパネルについて、その実施例に基づいて説明したが、本発明は上記実施例に記載した構成に限定されるものではなく、その趣旨を逸脱しない範囲において適宜その構成を変更することができる。
【産業上の利用可能性】
【００１９】
本発明のスクリーンパネルによれば、通水性のスクリーンパネルを簡単かつ安価に製作できることから、得られたスクリーンパネルは、除塵機のスクリーンの用途に好適に用いることができるほか、例えば、下水や河川の固定式ごみ除去スクリーン、送風・排気等のフィルター、グレーチング等の溝フタの用途にも用いることができる。
【図面の簡単な説明】
【００２０】
【図１】本発明のスクリーンパネルの一実施例を示す分解斜視図である。
【図２】スクリーンプレートとプレート支持枠との組み立て説明図で、（Ａ）は全体の正面図、（Ｂ）は要部の拡大説明図である。
【図３】異なる形状をしたスクリーンプレートの説明図である。
【図４】本発明のスクリーンパネルの連結状態を示す拡大した断面説明図である。
【図５】本発明のスクリーンパネルの一部を示す正面図である。
【符号の説明】
【００２１】
１    スクリーンプレート
１Ａ  スクリーンプレートの端部
１Ｂ  スクリーンプレートの端部
１ａ  前後方向のずれを規制するための位置止め段
１ｂ  上下方向のずれを規制するための段
１ｃ  舌片
１ｄ  上下方向のずれを規制するための段
２    プレート支持枠
２１  スリット
２２  本体片
２３  端片
３    枠体
３１  外枠
３２  サイド枠
３３  フランジ部
３４  ボルト
Ｃ    チェーン
Ｊ    パネルジョイントプレート
Ｐ    スクリーンパネル
Ｓ    スクリーンパネル取付座
【図１】
0004508980.tif 000002
【図２】
0004508980.tif 000003
【図３】
0004508980.tif 000004
【図４】
0004508980.tif 000005
【図５】
0004508980.tif 000006